(57)【特許請求の範囲】
【請求項１】
播種または苗植付けを行う植播系作業装置を、走行機体に対してリンク機構を介して昇降操作自在に装備し、その植播系作業装置に、下降使用姿勢と上昇格納姿勢とに姿勢切り換え自在なマーカと、このマーカの姿勢切り換えを電動モータの駆動で行うマーカ操作機構とを備えた水田作業機であって、
前記リンク機構の姿勢変化を検出して前記植播系作業装置の高さ位置を検出する高さ位置検出手段と、前記マーカ操作機構に対して前記電動モータの作動を制御する制御指令を出力する制御装置と、この制御装置に対してマーカの姿勢切り換え指令を入力する人為操作具とを備え、
前記制御装置は、前記高さ位置検出手段からの検出に基づいて前記植播系作業装置が上限高さよりも低い高さに予め設定された所定高さ以上の高さ位置に存在すると判別される場合には、前記人為操作具によってマーカの下降使用姿勢側への姿勢切り換え指令が入力されても、前記制御装置から前記マーカ操作機構へのマーカ下降指令が出力されることを牽制し、前記高さ位置検出手段からの検出に基づいて前記植播系作業装置が前記所定高さよりも低位に存在すると判別される場合には、前記人為操作具によってマーカの下降使用姿勢側への姿勢切り換え指令が入力されると、前記制御装置から前記マーカ操作機構へのマーカ下降指令が出力されることを許容するように構成してある水田作業機。
【請求項２】
播種または苗植付けを行う植播系作業装置を、走行機体に対して昇降操作自在に装備し、その植播系作業装置に、下降使用姿勢と上昇格納姿勢とに姿勢切り換え自在なマーカを備えた水田作業機であって、
前記植播系作業装置の高さ位置を判別する高さ位置判別手段を備えるとともに、前記マーカの姿勢切り換えを電動モータの駆動で行うマーカ操作機構と、このマーカ操作機構に対して前記電動モータの作動を制御する制御指令を出力する制御装置と、この制御装置に対してマーカの姿勢切り換え指令を入力する人為操作具とを備え、
前記制御装置は、前記植播系作業装置が予め設定された所定高さよりも低い高さ位置に存在している状態では、前記植播系作業装置の上昇に拘わらず前記制御装置から前記マーカ操作機構へのマーカ格納指令が出力されることを牽制し、前記所定高さよりも高い位置に前記植播系作業装置が存在している状態では、前記制御装置から前記マーカ操作機構へのマーカ格納指令が出力されることを許容するように構成してある水田作業機。
【請求項３】
前記人為操作具の揺動操作を検出する指令スイッチを備え、
前記制御装置は、前記人為操作具の揺動操作により前記指令スイッチが所定時間よりも短い時間を検出すると定常操作であると判別して前記制御装置から前記マーカ操作機構への制御指令が出力されることを牽制し、前記人為操作具の揺動操作により前記指令スイッチが前記所定時間よりも長い時間を検出すると非定常操作であると判別して牽制を解除し前記制御装置から前記マーカ操作機構への制御指令を出力するように構成してある請求項１又は２記載の水田作業機。
【請求項４】
前記人為操作具の揺動操作を検出する指令スイッチを備え、
前記制御装置は、前記指令スイッチにより前記人為操作具が所定時間内に一回揺動操作されたことが検出されると定常操作であると判別して前記制御装置から前記マーカ操作機構への制御指令が出力されることを牽制し、前記指令スイッチにより前記人為操作具が前記所定時間内に複数回繰り返し揺動操作されたことが検出されると非定常操作であると判別して牽制を解除し前記制御装置から前記マーカ操作機構への制御指令を出力するように構成してある請求項１又は２記載の水田作業機。
【請求項５】
前記マーカ操作機構中に過負荷緩衝部を設けた請求項１〜４のいずれか一項記載の水田作業機。
【発明の詳細な説明】
【技術分野】
【０００１】
本発明は、播種または苗植付けを行う植播系作業装置を、走行機体に対して昇降操作自在に装備し、その植播系作業装置に、下降使用姿勢と上昇格納姿勢とに姿勢切り換え自在なマーカを備え、このマーカを電動モータで姿勢変更するようにした水田作業機に関する。
水田作業機において、線引きマーカの使用を伴う作業としては、種籾を直接に水田に播く播種作業、または、水稲やイ草などの苗を水田に植え付ける苗植付作業があり、通常の水田作業機には、これらの作業を行うための装置、つまり、播種装置あるいは苗植付装置の何れかが備えられるものである。本明細書では、このような播種作業あるいは苗植付作業のように、線引きされた圃場での作業を行うための装置を総称して「植播系作業装置」と称する。
【背景技術】
【０００２】
近年では電動モータの機能向上に伴い、その小型化、コストの低廉化が進んだため、従前のような苗植付装置の上昇作動力を利用してワイヤでマーカを吊り上げるようにした構造に代えて、電動モータの駆動力を用いてマーカの姿勢変更を行う構造を採用したものが提案されている。
このように、電動モータを用いてマーカの姿勢変更を行う構造を採用すると、従前のように苗植付装置の上昇作動力を利用してワイヤでマーカを引き上げるようにした構造のものに比べて、マーカの駆動系を含めての全体構造の小型軽量化及び簡素化を図り得るとともに、マーカやその駆動系の配置上の制約も少なく、全体として設計上の自由度を高め得る点での有利さがある。
この種の水田作業機としては、従来より、下記の特許文献１に示されるように、乗用型田植機に昇降自在に装備された苗植付装置にマーカを装備し、このマーカを、電動モータによってケーブル巻き取り体を回動操作して、マーカと連結されているマーカ操作用のケーブルを巻取り操作したり、繰り出し操作したりすることにより、マーカを格納状態と作用状態に切り換え操作するようにマーカ操作機構を構成したものが知られている。そして、このマーカ操作機構に対して、右左を選択してマーカを出し入れするように制御指令を出力する制御装置を備えてマーカ装置を構成したものがあった（たとえば特許文献１参照）。
【０００３】
【特許文献１】特開２００３−１７４８０７号公報（段落「００３２」〜「００４２」、図２，９，１０）
【発明の開示】
【発明が解決しようとする課題】
【０００４】
上記のように電動モータの駆動力を用いてマーカの姿勢変更操作を行うように構成されたマーカ装置では、上述の利点を備える反面、植播系作業装置の昇降動作や高さ位置とは関係なくマーカの出し入れ操作を行うように構成することが可能であるから、実際にはマーカを作用姿勢にする必要がない条件下で不用意にマーカの出し操作が行われて損傷したり、逆にマーカを格納し忘れたり、格納すべきタイミングを失してマーカを損傷してしまう虞がある。
このような不具合を避けるには、電動モータを用いながらも、マーカの姿勢変更動作はワイヤを用いた従前の装置のように、植播系作業装置の昇降動作と同期させて出し入れを行うように構成することが考えられる。しかしながら、このような構成を採用するにあたっては、次のような新たな問題が生じる。
つまり、マーカの格納姿勢への変更操作に関しては、圃場の一行程での作業が終了すると機体はただちに旋回を始めようとするものであるから、マーカはなるべく早く格納した方が小回り旋回を行う上では有利である。ところが、電動モータの動作速度を上げてマーカの格納姿勢への変更速度を速くすると、マーカの急速引き上げによる泥土の飛散方向が機体内方側に向けられ、操縦者に降りかかるなどの不具合がある。
従前のように植播系作業装置の上昇駆動力を利用してワイヤでマーカを引き上げる構造では、マーカの水平面に対する起伏角度とワイヤの引っ張り方向との関係で、植播系作業装置を一定速度で上昇させていても、その上昇初期では、比較的急速にワイヤが引き上げられ、その後、マーカ先端の移動軌跡が機体内方側へ向かうに連れて自然に引き寄せ速度が低減するように工夫されているが、このような形態にマーカの動作速度を制御しようとすると、植播系作業装置の上昇動作速度の検出手段や、マーカの角速度の変化を検出する手段など、電動モータの作動速度の制御するためのデータ検出手段や、その検出データに基づく制御手段など、検出構造や制御構造の複雑化を招く虞がある。
しかも、従前の植播系作業装置の上昇駆動力のように強大な油圧シリンダなどの駆動力を利用してワイヤでマーカを持ち上げるのではなく、マーカ駆動用の電動モータを用いる構造のものでは、先端部が泥中に深く埋没した状態のマーカを、その付け根側で引き上げ操作するに要する駆動力の全部が電動モータに負荷されることになるため、電動モータに作用する駆動負荷が相当大きくなり、電動モータの小型化の妨げになる傾向がある。
【０００５】
また、マーカの作用姿勢への姿勢変更に際しては、植播系作業装置の下降作動に追随してマーカが徐々に作用姿勢に姿勢変化するように構成しようとすると、植播系作業装置の高さ位置のみならず、マーカの姿勢変化の度合いも逐一検出するための手段を要し、この点で検出構造や制御構造の複雑化を招き易くなる。このようなマーカの作用姿勢への動作を植播系作業装置の高さ位置との同期関係を、下降側すなわち作用姿勢への変更側では断って、マーカの作用姿勢への姿勢変更操作に伴って直ちにマーカを作用姿勢に姿勢変更できるようにすることも考えられるが、これでは、マーカの作用姿勢への姿勢変更が不要な、上方位置でのマーカ作用姿勢への姿勢変更が行われることを抑止できないという不具合がある。
【０００６】
本発明の目的は、電動モータを用いてマーカの姿勢変更を行うにあたり、不適切な時点でのマーカの姿勢変更操作が行われることによるマーカ自体の損傷を回避し、また、マーカの姿勢変更に伴って操縦者側への泥土の飛散が生じることや、電動モータを含むマーカ駆動系の検出構造や制御構造の複雑化や大型化を回避した水田作業機を提供することにある。
【課題を解決するための手段】
【０００７】
上記目的を達成するために講じた本発明による水田作業機では、下記の技術手段を講じたものである。
〔解決手段１〕
播種または苗植付けを行う植播系作業装置を、走行機体に対してリンク機構を介して昇降操作自在に装備し、その植播系作業装置に、下降使用姿勢と上昇格納姿勢とに姿勢切り換え自在なマーカと、このマーカの姿勢切り換えを電動モータの駆動で行うマーカ操作機構とを備えた水田作業機において、
前記リンク機構の姿勢変化を検出して前記植播系作業装置の高さ位置を検出する高さ位置検出手段と、前記マーカ操作機構に対して前記電動モータの作動を制御する制御指令を出力する制御装置と、この制御装置に対してマーカの姿勢切り換え指令を入力する人為操作具とを備え、
前記制御装置は、前記高さ位置検出手段からの検出に基づいて前記植播系作業装置が上限高さよりも低い高さに予め設定された所定高さ以上の高さ位置に存在すると判別される場合には、前記人為操作具によってマーカの下降使用姿勢側への姿勢切り換え指令が入力されても、前記制御装置から前記マーカ操作機構へのマーカ下降指令が出力されることを牽制し、前記高さ位置検出手段からの検出に基づいて前記植播系作業装置が前記所定高さよりも低位に存在すると判別される場合には、前記人為操作具によってマーカの下降使用姿勢側への姿勢切り換え指令が入力されると、前記制御装置から前記マーカ操作機構へのマーカ下降指令が出力されることを許容するように構成してある。
【０００８】
〔解決手段１にかかる発明の作用及び効果〕
解決手段１にかかる発明では、電動モータを用いてマーカの姿勢変更を行うものでありながら、植播系作業装置が所定高さ以上の高さに存在する状態では、人為操作具の不用意な操作に拘わらず、確実にマーカの無用な作用姿勢への姿勢変更を抑止することができる。
したがって、電動モータを用いて装置全体の小型化や配置の自由度を高め得る利点を活かしながら、路上でのマーカの飛び出しなど、無用な姿勢変更によるマーカの損傷を確実に回避することができる。
【０００９】
〔解決手段２〕
播種または苗植付けを行う植播系作業装置を、走行機体に対して昇降操作自在に装備し、その植播系作業装置に、下降使用姿勢と上昇格納姿勢とに姿勢切り換え自在なマーカを備えた水田作業機において、
前記植播系作業装置の高さ位置を判別する高さ位置判別手段を備えるとともに、前記マーカの姿勢切り換えを電動モータの駆動で行うマーカ操作機構と、このマーカ操作機構に対して前記電動モータの作動を制御する制御指令を出力する制御装置と、この制御装置に対してマーカの姿勢切り換え指令を入力する人為操作具とを備え、
前記制御装置は、前記植播系作業装置が予め設定された所定高さよりも低い高さ位置に存在している状態では、前記植播系作業装置の上昇に拘わらず前記制御装置から前記マーカ操作機構へのマーカ格納指令が出力されることを牽制し、前記所定高さよりも高い位置に前記植播系作業装置が存在している状態では、前記制御装置から前記マーカ操作機構へのマーカ格納指令が出力されることを許容するように構成してある。
【００１０】
〔解決手段２にかかる発明の作用及び効果〕
解決手段２にかかる発明では、植播系作業装置が予め設定された所定高さに達するまではマーカ操作機構による格納操作を行なわず、植播系作業装置を昇降駆動する駆動系の動力を利用してマーカをも所定高さまで持ち上げることができる。
したがって、マーカの持ち上げに際してはマーカ操作機構での電動モータの駆動力を用いずにマーカを所定高さまで持ち上げて、この間にマーカに付着していた泥土をある程度滑落させることができる。また、マーカが泥面から抜け出す際に生じる大きな操作抵抗も、マーカ操作機構の電動モータには作用せず、大きな駆動力を備えた植播系作業装置の昇降装置に負担させるので、電動モータの大型化などの問題なく持ち上げることができる。
また、植播系作業装置が前記所定高さに達するまでの間で、ある程度泥土が滑落してからマーカ操作機構による格納姿勢への姿勢変更が行われることになるので、電動モータを用いての姿勢変更に際して、操縦者側への泥土の飛散を極力抑制することができる。
このとき、電動モータによるマーカの姿勢変更は、植播系作業装置の高さ位置の変化状況やマーカ自体の回動角度の変化などを特別に検出して制御するような煩雑な制御を必要とせず、単に泥土の飛散を押さえるに適当な程度の速度を考慮して設定された速度で駆動する程度の簡単な制御構造を採用するだけでよく、多くの検出情報を得るための検出手段を設ける構造の複雑化や、その検出情報に基づく制御などに関しても複雑化を回避できる利点がある。
【００１１】
【００１２】
【００１３】
〔解決手段３〕
解決手段１又は２記載の水田作業機において、前記人為操作具の揺動操作を検出する指令スイッチを備え、前記制御装置は、前記人為操作具の揺動操作により前記指令スイッチが所定時間よりも短い時間を検出すると定常操作であると判別して前記制御装置から前記マーカ操作機構への制御指令が出力されることを牽制し、前記人為操作具の揺動操作により前記指令スイッチが前記所定時間よりも長い時間を検出すると非定常操作であると判別して牽制を解除し前記制御装置から前記マーカ操作機構への制御指令を出力するように構成してある。
【００１４】
〔解決手段３にかかる発明の作用及び効果〕
解決手段３にかかる発明では、牽制を非定常操作によって牽制解除できるものであるから、さらに多様な操作を行うことができる。
しかも、その操作は、操作者が明確に意識した非定常操作によって意図的に行われるので、定常操作時の操作との混同や誤操作を招く虞はきわめて少ない状態で操作の多様化を図ることができる利点がある。
【００１５】
〔解決手段４〕
解決手段１又は２に記載の水田作業機において、前記人為操作具の揺動操作を検出する指令スイッチを備え、前記制御装置は、前記指令スイッチにより前記人為操作具が所定時間内に一回揺動操作されたことが検出されると定常操作であると判別して前記制御装置から前記マーカ操作機構への制御指令が出力されることを牽制し、前記指令スイッチにより前記人為操作具が前記所定時間内に複数回繰り返し揺動操作されたことが検出されると非定常操作であると判別して牽制を解除し前記制御装置から前記マーカ操作機構への制御指令を出力するように構成してある。
【００１６】
〔解決手段４にかかる発明の作用及び効果〕
解決手段４にかかる発明では、牽制を非定常操作によって牽制解除できるものであるから、さらに多様な操作を行うことができる。
しかも、その操作は、操作者が明確に意識した非定常操作によって意図的に行われるので、定常操作時の操作との混同や誤操作を招く虞はきわめて少ない状態で操作の多様化を図ることができる利点がある。
【００１７】
【００１８】
【００１９】
【００２０】
【００２１】
〔解決手段５〕
請求項１〜４のいずれか一項記載の水田作業機において、前記マーカ操作機構中に過負荷緩衝部を設けてある。
【００２２】
〔解決手段５にかかる発明の作用及び効果〕
解決手段５にかかる発明では、マーカ操作機構中に過負荷緩衝部を備えることにより、電動モータに過大な負荷が作用したり、マーカに過大な負荷が作用した場合に、これを感知して回避制御を行うようにすることにより、電動モータやマーカを破損するなどの自体が生じることを回避することが可能となる。
【発明を実施するための最良の形態】
【００２３】
以下、本発明の実施例を図面に基づいて説明する。
〔水田作業機の全体構成〕
図１に示すように、左右一対の操向操作自在な前車輪１、及び、左右一対の後車輪２を原動部のエンジン６からの駆動力によって駆動して自走するように構成し、かつ、原動部の両横側に位置する予備苗載せ台装置８０、原動部の後方に位置する運転座席３を有した搭乗型運転部を備えた自走車体の車体フレーム４の後部に、リフトシリンダ８を有したリンク機構５を介して植播系作業装置の一例である苗植付け装置１０を連結するとともに、前記エンジン６からの駆動力を回転軸７を介して苗植付け装置１０に伝達するように構成し、自走車体の運転座席３の後方側に肥料タンク３１を有した施肥装置３０を設けて、水田作業機の一例である乗用型田植機を構成している。
【００２４】
この田植機は、稲苗の植付け、及び、植付け苗に対する施肥供給を行なうものであり、リフトシリンダ８を操作することにより、このリフトシリンダ８がリンク機構５を自走車体に対して上下に揺動操作して苗植付け装置１０を整地フロート１１が圃場面に接地した下降作業状態と、整地フロート１１が圃場面から高く浮上した上昇非作業状態とに昇降操作する。苗植付け装置１０を下降作業状態にして自走車体を走行させると、苗植付け装置１０の植付け機体横方向に並ぶ複数の苗植付け機構１２がこの苗植付け機構１２の苗植え運動に連動して植付け機体横方向に往復移送される苗載せ台１４に載置されたマット状苗から一株分のブロック苗を切断するとともに取り出し、整地フロート１１が整地した圃場泥土に植え付けていく。これとともに、施肥装置３０の肥料タンク３１の下部に連結している繰り出し機構３２が肥料タンク３１から肥料を設定量ずつ繰り出し、繰り出し機構３２からの肥料を電動ブロワ３３からの搬送風によって施肥ホース３４に供給し、整地フロート１１に設けた作溝施肥器３５が苗植付け機構１２による植付け苗の横側近くで圃場泥土に施肥溝を形成し、この施肥溝に施肥ホース３４からの肥料を供給していく。
【００２５】
〔苗植付装置（植播系作業装置）〕
苗植付け装置１０の植付機枠前端部の両横側にマーカ２０を設けてある。左右のマーカ２０も、左右のマーカ操作機構４０も、左右で同様に構成してあるので、代表して左側のマーカ２０、及び左側のマーカ操作機構４０を図示して説明する。
図２に示すように、マーカ２０は、植付機枠の機枠フレーム１５から延出するマーカ支持アーム２１に基端側の取り付け部２３ｃが連結ピン２２を介して回動自在に連結している基端側マーカアーム２３ａ、この基端側マーカアーム２３ａの先端部から延出している先端側マーカアーム２３ｂ、この先端側マーカアーム２３ｂの先端部に遊転自在に連結しているマーカ輪体２５を備えて構成してある。
基端側マーカアーム２３ａが前記連結ピン２２の機体前後向きの軸芯まわりで植付機枠に対して上下に揺動操作されることにより、図２に実線で示す如く基端側マーカアーム２３ａがマーカ支持アーム２１から機体横外向きにほぼ水平に延出した取り付け姿勢になり、マーカ輪体２５の下端側が圃場泥土に接地した下降使用姿勢と、図２に二点鎖線で示す如く基端側マーカアーム２３ａがマーカ支持アーム２１から機体上方向きに延出した取り付け姿勢になり、マーカ輪体２５が圃場面から高く浮上した上昇格納姿勢とに切り換わる。
下降使用姿勢に操作されたマーカ２０は、マーカ輪体２５が車体走行のために圃場の泥土部で転動してマーカ輪体２５の輪体周方向に並んでいるマーカ爪２６が泥土を持ち上げて圃場面上に盛り上げていき、進行方向に点在していく盛り上げ泥土によって走行目標線を圃場面上に形成する。
【００２６】
図２に示すように、マーカ操作機構４０は、後述する制御装置５４によって制御される電動モータ４２と、前記基端側マーカアーム２３ａの取り付け部２３ｃに一端側を連結し、他端側を電動モータ４２によって駆動されるクランク操作体４８に連結した操作ロッド４１と、一端側を前記基端側マーカアーム２３ａの取り付け部２３ｃに連結し、他端側を機枠フレーム１５に連結したスプリング４９とによって構成されている。
前記電動モータ４２は、機枠フレーム１５に設けた操作ケース４３に内装され、この電動モータ４２の動力は、電動モータ４２の出力を、ウォームギヤを内装する減速ギヤボックス４２Ａからの出力用ピニオンギヤ４５を介して、前記クランク操作体４８の駆動ギヤ４６に伝達されるように構成してある。
図２に示すように、このマーカ操作機構４０のスプリング４９は、基端側マーカアーム２３ａの前記連結ピン２２の位置と、スプリング４９の機枠フレーム１５側の係止孔１５ａによって構成される係止点とを結ぶ仮想線分ｘよりも上方側で、前記取り付け部２３ｃにスプリング４９の一端側が連結されているので、そのスプリング４９の付勢力がマーカ２０を上昇格納姿勢側に付勢する方向で作用するように構成されている。
【００２７】
図３，４に示すように、電動モータ４２の出力ギヤ４５がクランク操作体４８の軸部に一体的に設けた駆動ギヤ４６に噛合っており、電動モータ４２が上昇側に駆動操作されてクランク操作体４８をマーカ上げ側に回動駆動すると、操作ロッド４１がマーカ２０をスプリング４９に補助されながら引き上げ操作することにより、マーカ操作機構４０は、電動モータ４２の駆動力とスプリング４９の弾性復元力とによってマーカ２０を上昇格納姿勢に切り換え操作する。
電動モータ４２が下降側に駆動操作されてクランク操作体４８をマーカ下げ側に回動駆動すると、操作ロッド４１がスプリング４９の付勢力に抗してマーカ２０を押し下げ操作することにより、マーカ操作機構４０は、電動モータ４２の駆動力とマーカ２０の自重とによってマーカ２０を下降使用姿勢に切り換え操作する。
前記操作ロッド４１は、バネ鋼からなる棒状線材で構成され、その中間部にコイル状の過負荷緩衝部４１Ａを設けてある。この過負荷緩衝部４１Ａは、電動モータ４２でマーカ２０の昇降操作を行っている途中で、マーカ２０が畦や何らかの障害物に接触して動き難くなるなどの、マーカ２０自体や電動モータ４２が損傷するほどの一時的な過負荷が生じた場合に、その過負荷緩衝部４１Ａのコイル状部分が伸縮することによって、ある程度の過負荷を緩和することに役立つ効果がある。
【００２８】
〔運転部〕
図１，５に示すように、運転部のステアリングハンドルＳＨの付近に、人為操作具としての１本の操作レバー６１を備えた作業指令手段６０ａ及びマーカ下降指令手段６０ｂを設け、図５に示すように、前記作業指令手段６０ａの一対の指令スイッチ６２，６３、前記マーカ下降指令手段６０ｂの一対の指令スイッチ６４，６５、前記リンク機構５に設けた上限センサ６９、運転部に設けたメインスイッチ７０及び中立検出手段７１を制御装置５４に連係させてある。
さらにこの制御装置５４は、前記リフトシリンダ８の制御弁５１の電磁操作部、前記左右のマーカ操作機構４０の電動モータ４２、エンジン６から苗植付け装置１０に対する伝動を入り切りするように自走車体のミッションケース７２の内部に設けた作業クラッチ５２を切り換え操作する作業クラッチ操作機構の一例としての電動クラッチモータ５３、原動部に設けたエンジン始動牽制手段７３、自走車体の前端部に位置するセンターマーカ９の内部に位置する報知手段としてのマーカランプ７４に連係させてある。
図４に示すように前記クランク操作体４８のスイッチ操作部５７の回動位置を基に、前記左マーカ２０が下降使用姿勢や上昇格納姿勢になったことを検出するように前記操作ケース４３の内部に設けた検出スイッチで成る左マーカ上昇センサ６７及び左マーカ下降センサ６６も、この左マーカ上昇センサ６７及び左マーカ下降センサ６６と同様に構成した右マーカ上昇センサ６７及び右マーカ下降センサ６６も制御装置５４に連係させてある。
【００２９】
図５に示すように、前記作業指令手段６０ａは、前記操作レバー６１及び前記一対の指令スイッチ６２，６３を備えて構成してあり、操作レバー６１が中立位置Ｎから車体下方側Ｄに揺動操作されると、一方の指令スイッチ６２が操作レバー６１によって切り換え操作されて苗植付け装置１０を下降作業状態に下降操作させるとともに作業クラッチ５２を入り状態に切り換え操作させるべき作業指令を電気信号にして制御装置５４に出力し、操作レバー６１が中立位置Ｎから車体上方側Ｕに揺動操作されると、他方の指令スイッチ６３が操作レバー６１によって切り換え操作されて苗植付け装置１０を上昇非作業状態に上昇操作させるとともに作業クラッチ５２を切り状態に切り換え操作させるべき作業解除指令を電気信号にして制御装置５４に出力する。
【００３０】
図５に示すように、前記マーカ下降指令手段６０ｂは、前記操作レバー６１及び前記一対の指令スイッチ６４，６５を備えて構成してあり、操作レバー６１が中立位置Ｎから車体前方側Ｆに揺動操作されると、一方の指令スイッチ６４が操作レバー６１によって切り換え操作されて左マーカ２０を下降使用姿勢に下降操作させるべき左マーカ下降指令を電気信号にして制御装置５４に出力し、操作レバー６１が中立位置Ｎから車体後方側Ｒに揺動操作されると、他方の指令スイッチ６５が操作レバー６１によって切り換え操作されて右マーカ２０を下降使用姿勢に下降操作させるべき右マーカ下降指令を電気信号にして制御装置５４に出力する。
【００３１】
図１及び図５に示すように、運転座席３の横側部には昇降操作レバー３６が装備してあり、この昇降操作レバー３６の操作位置の選択によって、前記操作レバー６１による苗植付け装置１０の昇降とは別に、苗植付け装置１０の昇降操作を行えるとともに、その苗植付け装置１０の作業クラッチ５２（植付クラッチ）の駆動を断続操作することができる。
この昇降操作レバー３６の操作位置は、レバー位置検出スイッチ３７で自動操作領域と手動操作によるクラッチ操作域とを判別できるように構成され、その他の各領域（下降、中立、上昇）では作業クラッチ５２が切り操作されるように構成してある。
昇降操作レバー３６が自動操作領域に操作されている状態では、苗植付け装置１０が泥面から離れた上方位置にあると、このことが垂れ下がり姿勢のフロートセンサ１３で検出されるので、苗植付け装置１０の昇降用のリフトシリンダ８に対して下降指令が出力され、苗植付け装置１０が下降を始める。そして、垂れ下がり姿勢の整地フロート１１の先端側が泥面に接して水平に変化すると、このことがフロートセンサ１３で検出され、制御装置５４に苗植付け装置１０が下限に到達したことの信号を入力するので、苗植付け装置１０の下降動作が停止し、同時的に作業クラッチ５２が入り操作されて苗植付け作業が開始される。
前記昇降操作レバー３６が手動操作領域の植付クラッチ入り位置に操作されている状態では、苗植付け装置１０の高さ位置に関係なく、任意のタイミングで作業クラッチ５２を入り操作することができる。したがって、苗植付け装置１０が泥面に接地するとただちに作業クラッチ５２が作動し始めるのではなく、整地フロート１１が泥面に接してから、適当なタイミングを図って作業を開始することができる。
【００３２】
上限センサ６９は、前記リンク機構５の自走車体に対する昇降位置に基いて苗植付け装置１０が上昇限界まで上昇されたことを検出するように構成した検出スイッチで成り、その検出結果を電気信号にして制御装置５４に出力する。
メインスイッチ７０は、脱着自在なキー（図示せず）によって切り換え操作されるキースイッチで成り、切り換え操作されることにより、電源をオンとオフに切り換え操作し、かつ、その切り換え結果を電気信号にして制御装置５４に出力する。
【００３３】
中立検出手段７１は、エンジン６の駆動力を前進駆動力と後進駆動力に変換して、かつ、前進側においても後進側においても無段階に変速して前後輪１，２に伝達する静油圧式無段変速装置で成る走行用変速装置７６を操作する主変速レバー７７の操作位置に基いて走行用変速装置７６が中立状態にあることを検出する検出スイッチで成り、検出結果を電気信号にして制御装置５４に出力する。
【００３４】
〔制御形態〕
制御装置５４はマイクロコンピュータを利用して構成してあり、作業指令手段６０ａからの指令、上限センサ６９、及びフロートセンサ１３からの検出情報を基にリフトシリンダ８の昇降制御、及びクラッチモータ５３を操作しての作業クラッチ５２の入り切り制御を行う。
すなわち、作業指令手段６０ａから作業指令を入力すると、制御弁５１に下降操作信号を出力してこの制御弁５１を下降操作状態に切り換え操作することにより、苗植付け装置１０が昇降制御によって下降するとともに、整地フロート１１が泥面に接地して、フロートセンサ１３が設定植付け深さを検出する下降作業状態になるようにリフトシリンダ８を苗植付け装置下降側に操作し、かつ、作業クラッチ５２が入り状態になるようにクラッチモータ５３を入り側に駆動操作する。
作業指令手段６０ａから作業解除指令を入力すると、制御弁５１に上昇操作信号を出力してこの制御弁５１を上昇操作状態に切り換え操作することにより、上限センサ６９が作用状態になるまで苗植付け装置１０が上昇するようにリフトシリンダ８を苗植付け装置上昇側に駆動操作し、かつ、作業クラッチ５２が切り状態になるようにクラッチモータ５３を切り側に駆動操作する。
【００３５】
また、図６乃至図１１に示すように、制御装置５４は、上記リフトシリンダ８の昇降制御、および作業クラッチ５２の制御に加えて、メインスイッチ７０からの情報、マーカ下降指令手段６０ｂによる下降指令、各センサ１３，６６，６７，６９による検出情報を基に左右のマーカ操作機構４０及びマーカランプ７４を操作する。
すなわち、図６のメインルーチンにおけるステップ＃１〜＃４に示すように、メインスイッチ７０からの情報によってメインスイッチ７０がオンであるか否かを判断し、メインスイッチ７０がオンであると判断すると、ステップ＃２に示すシリンダ制御ルーチンでリフトシリンダ８に対する昇降指令の有無を判断し、その昇降制御を行ってメインルーチンに戻る。引き続いてステップ＃３に示す作業クラッチ制御ルーチンで作業クラッチ５２の入り切り制御を行ってメインルーチンに戻る。
さらにステップ＃４，＃５では、メインスイッチ７０からの情報によってメインスイッチ７０がオンであるか否かを判断し、メインスイッチ７０がオンであると判断すると、マイクロコンピュータの不揮発性メモリーで成るマーカ記憶手段７８による記憶情報を入力してマーカ出し入れ制御を実行する。そしてメインスイッチ７０からの情報によってメインスイッチ７０がオフに切り換わった否かを判断し、メインスイッチ７０がオフに切り換わったと判断すると、このときの制御装置５４の左電動モータ操作状態をメインスイッチ７０が切り状態に切り換わった時点の左側のマーカ操作機構４０による左マーカ操作状態として、かつ、制御装置５４の右電動モータ操作状態をメインスイッチ７０が切り状態に切り換わった時点の右側のマーカ操作機構４０による右マーカ操作状態としてそれぞれマーカ記憶手段７８にそれまでの記憶情報を更新した状態で記憶させる。
【００３６】
シリンダ制御ルーチンでのリフトシリンダ８の昇降制御は、図７に示す如く行なわれる。
すなわち、ステップ＃１０及び＃１１で、リフトシリンダ８に対する指令信号の有無、及び、指令が上昇指令であるか、下降指令であるかを判別する。
人為操作具としての操作レバー６１で操作される作業指令手段６０ａでの操作に基づいて、ステップ＃１０で上昇指令がなされたと判断されると、ステップ＃１２でリフトシリンダ８の制御弁５１に対する上昇指令が制御装置５４から出力される。リフトシリンダ８が上昇作動（伸長）し、上限に達したことが上限センサ６９で検出されると、リフトシリンダ８の作動が停止する。
ステップ＃１１で下降指令がなされたと判断されると、ステップ＃１３でリフトシリンダ８の制御弁５１に対する下降指令が制御装置５４から出力される。リフトシリンダ８が下降作動（収縮）し、下限に達したことがフロートセンサ１３で検出されると、リフトシリンダ８の作動が停止する。
ステップ＃１０及びステップ＃１１で上昇指令、及び下降指令の何れもがないと判断されたときは、リフトシリンダ８は停止状態のままである。
【００３７】
作業クラッチ制御ルーチンでの作業クラッチ５２の入り切り制御は、図８に示す如く行なわれる。
すなわち、ステップ＃２０に示すように、昇降操作レバー３６が「自動」の位置に操作されているか否かをレバー位置検出スイッチ３７で判別し、自動の位置に操作されていれば、ステップ＃２２において、苗植付け装置１０が下限に位置しているか否かをフロートセンサ１３からの検出信号で判別する。苗植付け装置１０が下限に位置していれば作業クラッチ５２を「入り」操作する指令を制御装置５４から出力し、下限に位置していなければ苗植付け装置１０に対して下降作動を指令して、その後、ステップ＃２４で示すように、再び苗植付け装置１０が下限に位置したか否かを検出する。フロートセンサ１３が苗植え付け装置１０の下限位置を検出するとステップ＃２５に示すように作業クラッチ５２を入り操作して苗植え付け作業が開始される。
前記ステップ＃２０で「自動」が検出されなかった場合、ステップ＃２１で昇降操作レバー３６の位置が手動による「植付」位置であるか否かを検出し、手動による植付位置が検出された場合には、苗植え付け装置１０の高さ位置に関係なく強制的に作業クラッチ５２を入りする。
前記ステップ＃２０及びステップ＃２１で、昇降操作レバー３６の位置が「自動」の位置でも、手動による「植付」位置でもないことが判別されると、植付作業を行う状態ではないので、ステップ＃２７に示すように作業クラッチ５２をクラッチ切り状態とするように制御装置５４からの指令が出力される。
【００３８】
マーカ出し入れ制御は、図９乃至図１１に示す如く行なわれる。
すなわち、ステップ＃３０に示すように、メインスイッチ７０がオンであることを検出すると、その時点でマイクロコンピュータの不揮発性メモリーで成るマーカ記憶手段７８による記憶情報を読み出してマーカ出し入れ制御を実行する。次ぎに、ステップ＃３１に示すように、苗植付け装置１０の高さ位置に関する情報を、上限センサ６９及びリンク姿勢検出手段（図示せず）から取得する。
前記リンク姿勢検出手段は、リンク機構５の姿勢変化を検出して苗植付け装置１０の高さ位置を検出する高さ位置検出手段であり、リンク機構５の揺動支点箇所に設けたポテンショメータや、リンク機構５が所定高さに達した状態で接触するように走行機体側に配置したスイッチや、リンク機構５を昇降操作するためのリフトシリンダ８の伸縮量を検出するポテンショメータ又はスイッチで構成される。
ステップ＃３２、＃３３に示すように、上限センサ６９の検出情報に基いて苗植付け装置１０が上限になっているか否かを判断し、苗植付け装置１０が上限になっていると判断すると、左マーカ操作機構４０が左マーカ２０を上昇格納姿勢に切り換え操作するように左マーカ上昇センサ６７が検出状態になるまで左電動モータ４２を上昇側に操作し、右マーカ操作機構４０が右マーカ２０を上昇格納姿勢に切り換え操作するように右マーカ上昇センサ６７が検出状態になるまで右電動モータ２０を上昇側に操作する。
【００３９】
ステップ＃３２にて苗植付け装置１０が上限にないと判断された場合、ステップ＃３４に示すようにリンク姿勢検出手段からの取得情報に基づいて、苗植付け装置１０が予め設定された所定高さ以上の高さに位置しているか否かを判断する。
ステップ＃３４にて苗植付け装置１０が上限よりも下方で、予め設定された所定高さ以上の高さに位置していると判断した場合、次のステップ＃３５で、マーカ記憶手段７８による記憶情報と、マーカ下降指令手段６０ｂからの指令とを基に、マーカ記憶手段７８による記憶マーカ操作状態とは異なるマーカ操作指令がマーカ下降指令手段６０ｂから出力されているか否かを判別する。
マーカ記憶手段７８による記憶マーカ操作状態とは異なるマーカ操作指令が、マーカ下降指令手段６０ｂから出力されていると判断した場合には、苗植付け装置１０が下降操作されたと判断し、かつ、マーカ下降指令手段６０ｂからの指令が右マーカ下降指令であると、ステップ＃３６〜＃３９に示すように左右のマーカ２０を昇降操作する。
【００４０】
つまり、右マーカ２０に対して右マーカ２０を下降させる指令が出力されている状態では、左マーカ２０は下降作用姿勢とする必要がないので上昇側の格納姿勢に姿勢変更しておく必要がある。
したがって、一般的には、右マーカ２０を下降させる指令が出力されている状態では、右マーカ２０に対する下降指令とともに左マーカ２０に対する上昇姿勢も同時的に出力される傾向があるが、本発明では、ステップ＃３７に示すように、右マーカ２０に対する下降指令を出力するとの判断後に、左右のマーカ２０，２０を昇降させるにあたり、人為操作具としてのマーカ下降指令手段６０ｂの操作状態、すなわち、定常操作か、非定常操作かを判断している。
そして、このステップ＃３７での判断により、マーカ下降指令手段６０ｂの操作が定常操作であると判断されれば、ステップ＃３８に示すように左側のマーカ操作機構４０が左マーカ２０を上昇操作し、この時点では右マーカ２０に対する下降指令は出力されない。これは、マーカ２０が前記所定高さ位置よりも高い位置で下降作用姿勢となることで、他物と接触して損傷する可能性を少なくするためである。
ただし、常に前記所定高さ位置よりも高い位置で下降作用姿勢となることを禁止したままでは、非作業状態で苗植付け装置１０と畦との距離を見たい場合など、何らかの要望がある場合に対応できないので、本発明では、前記ステップ＃３７で非定常状態を判別できるようにしている。これは、マーカ下降指令手段６０ｂの定常操作時と同じ操作を、定常操作で普通に操作した場合の時間よりもかなり長く（例えば３秒以上）操作することで、定常操作とは明らかに判別可能にして、その操作状態を非定常操作として判断するように構成したものである。
この非定常操作を判別したときに右側のマーカ操作機構４０を介して右マーカ２０の下降操作を行うものであるが、この操作は、操作者が明確に意図して、通常とは異なる操作を行おうとするものであるから、前述のような他物と接触して損傷する虞を回避しながらの操作が可能である。
【００４１】
ステップ＃４０，＃４２，＃４３，＃４４に示すように、マーカ記憶手段７８による記憶マーカ操作状態とは異なるマーカ操作指令がマーカ下降指令手段６０ｂから出力されていると判断し、かつ、マーカ下降指令手段６０ｂからの指令が左マーカ下降指令であると判断すると、ステップ＃４０，＃４２，＃４３，＃４４に示すように左右のマーカ２０を昇降操作する。
つまり、ステップ＃４２での判断により、マーカ下降指令手段６０ｂの操作が定常操作であると判断されれば、ステップ＃４３に示すように右マーカ２０を上昇操作し、この時点では左マーカ２０に対する下降指令は出力されない。
前記ステップ＃４２で非定常状態を判別すると、左側のマーカ操作機構４０を介して左マーカ２０の下降操作を行うものであるが、この操作は、操作者が明確に意図して、通常とは異なる操作を行おうとするものであるから、前述のような他物と接触して損傷する虞を回避しながらの操作が可能である。
ステップ＃３５，＃３６，＃４０，＃４１、及びステップ＃５６に示すように、マーカ記憶手段７８による記憶マーカ操作状態とは異なるマーカ操作指令がマーカ下降指令手段６０ｂから出力されていると判断し、かつ、マーカ下降指令手段６０ｂから左マーカ下降指令も右マーカ下降指令も出力されていないと判断すると、左右のマーカ操作機構４０がマーカ２０を上昇格納姿勢に操作するように左右の電動モータ４２を上昇側に操作するとともに、マーカランプ７４が点滅してマーカ下降指令手段６０ｂから左マーカ下降指令も右マーカ下降指令も出力されていないことを報知するように、マーカランプ７４を点滅操作する。
【００４２】
ステップ＃３４にて苗植付け装置１０が上限よりも下方で、予め設定された所定高さ未満の高さに位置していると判断した場合、次のステップ＃４５で、マーカ記憶手段７８による記憶情報と、マーカ下降指令手段６０ｂからの指令とを基に、マーカ記憶手段７８による記憶マーカ操作状態とは異なるマーカ操作指令がマーカ下降指令手段６０ｂから出力されているか否かを判別する。
マーカ記憶手段７８による記憶マーカ操作状態とは異なるマーカ操作指令が、マーカ下降指令手段６０ｂから出力されていると判断した場合には、苗植付け装置１０が下降操作されたと判断し、かつ、マーカ下降指令手段６０ｂからの指令が右マーカ下降指令であると、ステップ＃４６〜＃４９に示すように左右のマーカ２０を昇降操作する。
【００４３】
ステップ＃４７に示すように、右マーカ２０に対する下降指令を出力するとの判断後に、左右のマーカ２０，２０を昇降させるにあたり、人為操作具としてのマーカ下降指令手段６０ｂの操作状態、すなわち、定常操作か、非定常操作かを判断している。
そして、このステップ＃４７での判断により、マーカ下降指令手段６０ｂの操作が定常操作であると判断されれば、ステップ＃４８に示すように右側のマーカ操作機構４０が右マーカ２０を下降操作し、この時点では左マーカ２０に対する上昇指令は出力されない。
【００４４】
ステップ＃５０，＃５１，＃５２，＃５３に示すように、マーカ記憶手段７８による記憶マーカ操作状態とは異なるマーカ操作指令がマーカ下降指令手段６０ｂから出力されていると判断し、かつ、マーカ下降指令手段６０ｂからの指令が左マーカ下降指令であると判断すると、ステップ＃５０，＃５１，＃５２，＃５３に示すように左右のマーカ２０を昇降操作する。
つまり、ステップ＃５１での判断により、マーカ下降指令手段６０ｂの操作が定常操作であると判断されれば、ステップ＃５２に示すように左マーカ２０を下降操作し、この時点では右マーカ２０に対する上昇指令は出力されない。
前記ステップ＃４７，＃５１で非定常操作を判別すると、ステップ＃４９，＃５３で左側及び右側のマーカ操作機構４０を介して左右のマーカ２０の上昇操作を行うものであるが、この操作は、操作者が明確に意図して、通常とは異なる操作を行おうとするものであるから、他物と接触して損傷する虞を回避しながらの操作が可能である。
ステップ＃４５，＃４６，＃５０，＃５４、及びステップ＃５６に示すように、マーカ記憶手段７８による記憶マーカ操作状態とは異なるマーカ操作指令がマーカ下降指令手段６０ｂから出力されていると判断し、かつ、マーカ下降指令手段６０ｂから左マーカ下降指令も右マーカ下降指令も出力されていないと判断すると、左右のマーカ操作機構４０がマーカ２０を上昇格納姿勢に操作するように左右の電動モータ４２を上昇側に操作するとともに、マーカランプ７４が点滅してマーカ下降指令手段６０ｂから左マーカ下降指令も右マーカ下降指令も出力されていないことを報知するように、マーカランプ７４を点滅操作する。
【００４５】
ステップ＃３４において所定高さ以上であると判断され、かつ、ステップ＃３５において、マーカ記憶手段７８による記憶マーカ操作状態とは異なるマーカ操作指令がマーカ下降指令手段６０ｂから出力されていないと判断した場合、図１１のステップ＃５８，＃５９に示すように、マーカ記憶手段７８による記憶マーカ操作状態が右マーカ２０を下降させる操作状態であると判断すると、右側のマーカ操作機構４０は作動せず、左側のマーカ操作機構４０が左マーカ２０を上昇格納姿勢に操作するように左電動モータ４２を上昇側に操作する。
同様にステップ＃３５において、マーカ記憶手段７８による記憶マーカ操作状態とは異なるマーカ操作指令がマーカ下降指令手段６０ｂから出力されていないと判断した場合、ステップ＃６０，＃６１に示すように、マーカ記憶手段７８による記憶マーカ操作状態が左マーカ２０を下降させる操作状態であると判断すると、左側のマーカ操作機構４０は作動せず、右側のマーカ操作機構４０が右マーカ２０を上昇格納姿勢に操作するように右電動モータ４２を上昇側に操作する。
また、ステップ＃３５において、マーカ記憶手段７８による記憶マーカ操作状態とは異なるマーカ操作指令がマーカ下降指令手段６０ｂから出力されていないと判断した場合、ステップ＃５８，＃６０，＃６２に示すように、マーカ記憶手段７８による記憶マーカ操作状態が左マーカ２０も右マーカ２０も上昇させる操作状態であると判断すると、左右のマーカ操作機構４０がマーカ２０を上昇格納姿勢に切り換え操作するように左右の電動モータ４２を上昇側に操作するとともに、マーカランプ７４が点滅して制御装置５４がマーカ記憶手段７８による記憶マーカ操作状態に基いて左電動モータ４２も右電動モータ４２も下降側に駆動操作する状態にないことを報知するように、マーカランプ７４を点滅操作する。
つまり、メインスイッチ７０がオフからオンに切り換えられた場合、左右のマーカ２０がメインスイッチ切り時点にあった下降使用姿勢又は上昇格納姿勢に操作されるように、マーカ記憶手段７８による記憶情報に基いて左右の電動モータ４２を操作する。
【００４６】
ステップ＃３４において所定高さ未満であると判断され、かつ、ステップ＃４５において、マーカ記憶手段７８による記憶マーカ操作状態とは異なるマーカ操作指令がマーカ下降指令手段６０ｂから出力されていないと判断した場合、図１０のステップ＃６３，＃６４に示すように、マーカ記憶手段７８による記憶マーカ操作状態が右マーカ２０を下降させる操作状態であると判断すると、右側のマーカ操作機構４０が右マーカ２０を下降使用姿勢に操作するように右電動モータ４２を下降側に操作する。
同様にステップ＃３５において、マーカ記憶手段７８による記憶マーカ操作状態とは異なるマーカ操作指令がマーカ下降指令手段６０ｂから出力されていないと判断した場合、ステップ＃６５，＃６６に示すように、マーカ記憶手段７８による記憶マーカ操作状態が左マーカ２０を下降させる操作状態であると判断すると、左側のマーカ操作機構４０が左マーカ２０を下降使用姿勢に操作するように左電動モータ４２を下降側に操作する。
また、ステップ＃３５において、マーカ記憶手段７８による記憶マーカ操作状態とは異なるマーカ操作指令がマーカ下降指令手段６０ｂから出力されていないと判断した場合、ステップ＃６３，＃６５，＃６７に示すように、マーカ記憶手段７８による記憶マーカ操作状態が左マーカ２０も右マーカ２０も上昇させる操作状態であると判断すると、左右のマーカ操作機構４０がマーカ２０を上昇格納姿勢に切り換え操作するように左右の電動モータ４２を上昇側に操作するとともに、マーカランプ７４が点滅して制御装置５４がマーカ記憶手段７８による記憶マーカ操作状態に基いて左電動モータ４２も右電動モータ４２も下降側に駆動操作する状態にないことを報知するように、マーカランプ７４を点滅操作する。
つまり、メインスイッチ７０がオフからオンに切り換えられた場合、左右のマーカ２０がメインスイッチ切り時点にあった下降使用姿勢又は上昇格納姿勢に操作されるように、マーカ記憶手段７８による記憶情報に基いて左右の電動モータ４２を操作する。
【００４７】
前記各ステップ＃３８，＃３９，＃４３，＃４４，＃４８，＃４９，＃５２，＃５３，＃５９，＃６１，＃６４，＃６６、及びステップ＃５５に示すように、マーカ下降指令手段６０ｂからの左マーカ下降指令や右マーカ下降指令に基いて左右の電動モータ４２を下降側に駆動操作する場合、及び、マーカ記憶手段７８による記憶操作状態に基いて左右の電動モータ４２を下降側に駆動操作する場合、マーカランプ７４が消灯してマーカ下降指令手段６０ｂから左マーカ下降指令又は右マーカ下降指令が出力されていることを報知したり、制御装置５４がマーカ記憶手段７８による記憶マーカ操作状態に基いて左電動モータ４２又は右電動モータ４２を下降側に駆動操作する状態にあることを報知したりするように、マーカランプ７４を消灯操作する。
【００４８】
制御装置５４は、メインスイッチ７０からの情報によってメインスイッチ７０がオフに切り換わった否かを判断し、メインスイッチ７０がオフに切り換わったと判断すると、このときの制御装置５４のクラッチモータ４２の操作状態をメインスイッチ７０が切り状態に切り換わった時点のクラッチモータ５３による作業クラッチ５２の入り切り状態として、マイクロコンピュータのメモリーで成るクラッチ記憶手段７９にそれまでの記憶情報を更新した状態で記憶させ、この後、メインスイッチ７０からの情報によってメインスイッチ７０がオンに切り換わった否かを判断し、メインスイッチ７０がオンに切り換わったと判断すると、作業クラッチ５２の入り切り状態がメインスイッチ切り時点の状態に操作されるように、クラッチ記憶手段７９による記憶操作状態に基いてクラッチモータ５３を操作するように構成してある。
【００４９】
制御装置５４は、中立検出手段７１からの検出情報によって中立検出手段７１が検出状態と非検出状態のいずれにあるかを判断し、中立検出手段７１が検出状態にあると判断した場合、エンジン６を始動させることができるようにエンジン始動牽制手段７３を作用解除状態に切り換え操作し、中立検出手段７１が非検出状態にあると判断した場合、エンジン６を始動させることができないようにエンジン始動牽制手段７３を作用状態に切り換え操作する。
【００５０】
従って、作業を行なうに当たり、操作レバー６１を中立位置Ｎから車体下方側Ｄに揺動操作する。すると、指令スイッチ６２が作業指令を出力し、この作業指令を基に制御装置５４が制御弁５１を切り換え操作してリフトシリンダ８を下降側に操作するとともにクラッチモータ５３を駆動操作して作業クラッチ５２を入り状態に切り換え操作し、苗植付け装置１０が下降作業状態になるとともに駆動されて苗植付けを行なっていく。
【００５１】
このとき、操作レバー６１を中立位置Ｎから車体前方側Ｆに揺動操作して指令スイッチ６４によって左マーカ下降指令を出力しておくと、苗植付け装置１０が下降して上限センサ６９が非検出状態に切り換わるに伴い、左マーカ下降指令と上限センサ６９からの情報を基に制御装置５４が左マーカ操作機構４０と右マーカ操作機構４０のうちの左マーカ操作機構４０の方だけの電動モータ４２を下降側に駆動操作して左マーカ２０が下降使用姿勢になり、自走車体左側の次の作業箇所の圃場面上に泥土盛りによる走行目標線を形成していくことができ、操作レバー６１を中立位置Ｎから車体後方側Ｒに揺動操作して指令スイッチ６５によって右マーカ下降指令を出力しておくと、苗植付け装置１０が下降して上限センサ６９が非検出状態に切り換わるに伴い、右マーカ下降指令と上限センサ６９からの情報を基に制御装置５４が左マーカ操作機構４０と右マーカ操作機構４０のうちの右マーカ操作機構４０の方だけの電動モータ４２を下降側に駆動操作して右マーカ２０が下降使用姿勢になり、自走車体右側の次の作業箇所の圃場面上に泥土盛りによる走行目標線を形成していくことができる。これにより、次の作業箇所を作業走行する際、センターマーカ９が圃場面上の走行目標線に合致するようにしながら走行すれば、このときの植付け苗列が先の植付け苗列に沿うようにして植付け作業することができる。
これに対し、操作レバー６１を中立位置Ｎから車体前方側Ｆにも車体後方側Ｒにも操作しなくて左マーカ下降指令も右マーカ下降指令も出力していなければ、マーカ下降指令手段６０ｂからの情報と上限センサ６９からの情報を基に制御装置５４がマーカランプ７４を点滅作動させ、マーカ２０を出すための操作が未だ行なわれていないことがマーカランプ７４の点滅によって報知される。
【００５２】
作業走行を終えると、操作レバー６１を中立位置Ｎから車体上方側Ｕに揺動操作する。すると、指令スイッチ６３が作業解除指令を出力し、この作業解除指令を基に制御装置５４がクラッチモータ５３を駆動操作して作業クラッチ５２を切り状態に切り換え操作するとともに制御弁５１を切り換え操作してリフトシリンダ８を上昇側に駆動操作し、苗植付け装置１０が駆動停止されて苗植付けを停止するとともに上昇非作業状態に上昇する。このとき、上限センサ６９、及び、各マーカ操作機構４０のセンサ６６，６７からの情報を基に制御装置５４がそれまでマーカ２０を下降使用姿勢にしていた左又は右のマーカ操作機構４０の電動モータ４２を上昇側に駆動操作し、それまで下降使用姿勢になっていた左又は右のマーカ２０が上昇格納姿勢に切り換わる。
【００５３】
作業途中で苗や肥料を補給したり休憩したりするなど、インスイッチ７０を切りに操作して作業を中断した場合、メインスイッチ７０が切りになった時点での左右のマーカ操作機構４２によるマーカ操作状態がマーカ記憶手段７８によって記憶され、メインスイッチ７０が切りになった時点でのクラッチモータ５３による作業クラッチ５２の入り切り状態がクラッチ記憶手段７９によって記憶される。この後、メインスイッチ７０を入りに操作して作業を再開するに当たり、走行用変速装置７６を伝動状態に操作していると、エンジン始動操作を行なっても、エンジン始動牽制手段７３が制御装置５４によって作用状態に切り換え操作されていてエンジン６が始動せず、走行用変速装置７６を中立状態に操作することにより、エンジン始動牽制手段７３が制御装置５４によって作用解除状態に切り換え操作されてエンジン６が始動する。さらにこのとき、制御装置５４がマーカ記憶手段７８による記憶マーカ操作状態に基づいて左右のマーカ操作機構４０の電動モータ４２を操作して左右のマーカ２０がメインスイッチ７０を切にした時点の上昇格納姿勢又は下降使用姿勢になり、かつ、制御装置５４がクラッチ記憶手段７９による記憶クラッチ操作状態に基いてクラッチモータ４２を操作して作業クラッチ５２がメインスイッチ７０を切りにした時点の入り又は切り状態になり、操作レバー６１を操作してマーカ下降指令手段６０ｂ及び作業指令手段６０ａを操作する手間を掛けなくとも、左右マーカ２０を作業中断前の下降使用姿勢又は上昇格納姿勢にして、かつ、作業クラッチ５２を作業中断前の入り状態にして作業を再開できる。
【００５４】
〔別実施形態の１〕
上述の実施の形態では、苗植付け装置１０が、上限位置ではない所定高さ位置を基準にして、その所定高さ位置以上の高さに位置している状態で、非定常操作が行われることより、定常操作で牽制していた操作を行えるようにしたものであるが、苗植付け装置１０が上限位置に位置している場合をも含めて非定常操作を行うことで、定常操作で牽制していた操作を行えるようにしてもよい。
【００５５】
〔別実施形態の２〕
実施の形態では、苗植付け装置１０が、上限位置ではない所定高さ位置を基準にして、その所定高さ位置以上の高さに位置している状態で、非定常操作が行われることより、定常操作で牽制していた操作を行えるようにしたものであるが、これに代えて、苗植付け装置１０の上限位置を基準にして、その上限位置に苗植付け装置１０が位置している場合に非定常操作を行うことで、定常操作で牽制していた操作を行えるようにしてもよい。
【００５６】
〔別実施形態の３〕
実施の形態では、苗植付け装置１０が、上限位置ではない所定高さ位置を基準にして、その所定高さ位置以上の高さに位置している状態で、非定常操作が行われることより、定常操作で牽制していた操作を行えるようにしたものであるが、これに代えて、苗植付け装置１０が昇降動作中であるか否かを検出して、動作中であるときに非定常操作を行うと、定常操作で牽制していた操作を行えるようにしてもよい。
【００５７】
〔別実施形態の４〕
図１２に示すように、マーカ２０としては、基端側マーカアーム２３ａの先端部に、先端側マーカアーム２３ｂを前後向きの枢支軸芯Ｐ３周りで揺動自在に枢着し、この先端側マーカアーム２３ｂにマーカ輪体２５を転動自在に支持して構成するとともに、その先端側マーカアーム２３ｂを、前記基端側マーカアーム２３ａの先端部に一体に設けた板状突片に摺接する状態で前記枢支軸芯Ｐ３周りで回動可能に装着した揺動板片２４ａと、その揺動板片２４ａに対して一体的に固定した棒状の輪体支持部材２４ｂとからして、前記マーカ輪体２５は前記棒状の輪体支持部材２４ｂに支持させている。
そして、このマーカ２０は、機枠フレーム１５と前記先端側マーカアーム２３ｂとにわたってリンク部材２３ｄを架設し、機枠フレーム１５に対する基端側マーカアーム２３ａの前後向きの揺動支点Ｐ１と、機枠フレーム１５に対する前記リンク部材２３ｄの前後向きの連結点Ｐ２と、基端側マーカアーム２３ａに対する先端側マーカアーム２３ｂの前後向きの枢支軸芯Ｐ３と、前記リンク部材２３ｄに対する揺動板片２４ａの前後向きの連結点Ｐ４とで、平行４連リンク機構を構成し、基端側マーカアーム２３ａが起伏揺動する範囲の全体で、先端側マーカアーム２３ｂ、及びマーカ輪体２５が、常に鉛直下方に向く姿勢で移動できるように構成してある。
このように構成すれば、マーカ輪体２５の回転面に沿う方向で泥の飛散が生じ易い傾向があっても、マーカ２０の起伏動作中、マーカ輪体２５の回転面に沿う泥の飛散方向が操縦者のいる機体内方側へ向く状態とはならないので、操縦者側への泥の飛散を避けやすいという利点がある。
尚、前記リンク部材２３ｄを用いたリンク機構は、必ずしも平行四連リンク機構である必要はなく、前記マーカ輪体２５の移動中の姿勢を大きく変化させない程度の不等辺四連リンク機構など、泥の飛散を避け得る機能を損なわない範囲での各種構造のものを採用してもよい。
その他の構造は、上述の各種実施形態と同様である。
【００５８】
〔別実施形態の５〕
上記〔別実施形態の４〕で説明したように、マーカ２０の起伏に伴ってマーカ輪体２５の基端側マーカアーム２３ａに対する姿勢を変化させることは、例えば図１３（イ），（ロ）に示すような構造を採用してもよい。
すなわち、基端側マーカアーム２３ａの先端部に、前後向き軸芯Ｐ５周りで回動自在なＵ字状の支持金具８１を装着し、この支持金具８１の下端部に前記前後向き軸芯Ｐ５とは直交する方向の左右向き横軸芯まわりで回動自在なマーカ輪体２５を装着するとともに、前記基端側マーカアーム２３ａに対する支持金具８１の相対姿勢を、マーカ２０の格納姿勢と、マーカ２０の下降使用姿勢との夫々で接当する当たり部８１ａ，８１ｂを備えて構成されたものである。
その他の構造は、上述の各種実施形態と同様である。
【００５９】
〔別実施形態の６〕
さらにまた、マーカ２０の起伏に伴ってマーカ輪体２５の基端側マーカアーム２３ａに対する姿勢を変化させることは、例えば図１４または図１５に示すような構造を採用してもよい。
この構造のうち、図１４に示す構造は、基端側マーカアーム２３ａの先端部に対して、先端側マーカアーム２３ｂの基端部を前後向きの軸芯Ｐ６で揺動自在に枢支連結し、その先端側マーカアーム２３ｂの一部に連結したマーカケーブル８２を、専用の電動モータ８３を用いて引き操作自在に構成し、引き操作によって先端側マーカアーム２３ｂを基端側マーカアーム２３ａに対して屈折した姿勢とすることで、格納姿勢のマーカ輪体２５が回転面を鉛直方向に向けた姿勢となるように操作し、電動モータ８３でマーカケーブル８２を緩めると復帰バネ８４で元の直線状に復帰させて下降作用姿勢とする構造である。
また、図１５に示す構造は、基端側マーカアーム２３ａの先端部に対して、先端側マーカアーム２３ｂの基端部を前後向きの軸芯Ｐ６で揺動自在に枢支連結し、その先端側マーカアーム２３ｂの一部に連結したマーカケーブル８２を、機枠フレーム１５の固定部Ｐ７に連結して、基端側マーカアーム２３ａが機枠フレーム１５の揺動支点Ｐ１周りで上昇揺動すると、その揺動に伴ってマーカケーブル８２を引き操作し、先端側マーカアーム２３ｂを基端側マーカアーム２３ａに対して屈折した姿勢とすることで、格納姿勢のマーカ輪体２５が回転面を鉛直方向に向けた姿勢となるように操作し、基端側マーカアーム２３ａが下降揺動するに伴って前記マーカケーブル８２を緩めて復帰バネ８４で元の直線状に復帰させることにより下降作用姿勢とする構造である。
【００６０】
〔別実施形態の７〕
図１６（イ）に示すように、マーカ２０を下降揺動する際に、人や畦、立木などの障害物に接触してマーカ２０に下降使用姿勢に達しないままで下降駆動が所定時間以上続くと、このことをマーカ２０の一部に設けた歪みセンサなどを用いた過負荷センサ２０ｅで検出して、駆動用の電動モータ４２の駆動を一時停止、若しくは所定量逆転駆動させるように構成するとよい。
また、図１６（ロ）に示すように、マーカ２０を上昇揺動する際に、人や立木、あるいは多量の夾雑物に引っかかるなど、各種の障害物に接触してマーカ２０に下降使用姿勢に達しないままで上昇駆動が所定時間以上続くと、このことをマーカ２０の一部に設けた歪みセンサなどを用いた過負荷センサ２０ｅで検出して、駆動用の電動モータ４２の駆動を一時停止、若しくは所定量逆転駆動させるように構成するとよい。
【００６１】
〔別実施形態の８〕
図１７に示すように、ポンパレバーとは別に、主変速レバー７７の一部に、主変速レバー７７を握ったままで、苗植付け装置１０の上昇のみを行うための操作ボタン７７Ａを配備してもよい。このように上昇ボタンを設けると、例えば、右手で操縦ハンドルを握り、左手で主変速レバー７７を握りながら機体を移動させている途中で、急に障害物を避けるためなどに植付部を緊急上昇操作したい場合、ハンドルを握っていた右手を離してポンパレバーの位置を捜す必要なく、主変速レバー７７を握ったままの左手で操作ボタン７７Ａによる上昇操作を行うことができるので、緊急操作を行い易い利点がある。
そして、そのための手段として用いられる操作ボタン７７Ａは、下降操作までをも行うものではないので、誤操作で苗植付け装置１０を下降させて損傷するような虞もない。
【００６２】
〔その他の別実施形態〕
［１］本発明は田植機の他、水田直播機などにも適用できるのであり、これら田植機、直播機などを総称して水田作業機と呼称する。
［２］植播系作業装置の所定の高さ位置としては、常に一定の高さ位置であるものに限らず、上昇行程と下降行程とで所定高さが異なる高さであるように設定してもよい。
［３］人為操作具の非定常操作としては、実施形態で説明したように、定常操作と同じ操作を意識的に長く続ける、所謂「長押し」の操作に限らず、定常操作と同じ操作を所定時間内で２度、もしくは３度などの所定回数を繰り返し操作することで、非定常操作と認識できるようにしてもよい。
［４］マーカ２０としては、マーカ輪体２５を用いた回転式のものに限らず、棒状の線引きマーカでもよい。
【図面の簡単な説明】
【００６３】
【図１】施肥装置付き乗用型田植機全体の側面図
【図２】マーカ及びマーカ操作機構の正面図
【図３】マーカ操作機構によるマーカの操作構造を示す正面図
【図４】マーカ操作機構部分の断面図
【図５】制御装置と関係する部位のブロック図
【図６】制御装置のメインルーチンを示すフロー図
【図７】リフトリンダ制御のフロー図
【図８】作業クラッチ制御のフロー図
【図９】マーカ制御のフロー図
【図１０】マーカ制御のフロー図
【図１１】マーカ制御のフロー図
【図１２】別実施形態のマーカを示す正面図
【図１３】別実施形態のマーカを示し、（イ）が正面図、（ロ）が側面図
【図１４】別実施形態のマーカの正面視での姿勢変更動作を示す説明図
【図１５】別実施形態のマーカの正面視での姿勢変更動作を示す説明図
【図１６】別実施形態のマーカの正面視での姿勢変更動作を示す説明図
【図１７】別実施形態の操縦部を示す斜視図
【符号の説明】
【００６４】
５          リンク機構
１０        苗植付け装置（植播系作業装置）
２０        マーカ
４０        マーカ操作機構
４１Ａ      過負荷緩衝部
４２        電動モータ
５４        制御装置
６１        操作レバー（人為操作具）
６４，６５  指令スイッチ
【図１】
0004600996.tif 000002
【図２】
0004600996.tif 000003
【図３】
0004600996.tif 000004
【図４】
0004600996.tif 000005
【図５】
0004600996.tif 000006
【図６】
0004600996.tif 000007
【図７】
0004600996.tif 000008
【図８】
0004600996.tif 000009
【図９】
0004600996.tif 000010
【図１０】
0004600996.tif 000011
【図１１】
0004600996.tif 000012
【図１２】
0004600996.tif 000013
【図１３】
0004600996.tif 000014
【図１４】
0004600996.tif 000015
【図１５】
0004600996.tif 000016
【図１６】
0004600996.tif 000017
【図１７】
0004600996.tif 000018